(57)【要約】  本解決法は、ユーザ装置がサポートする復調基準信号多重化次数のために決定された巡回シフトサブセットを利用することにより、ユーザ装置の復調基準信号割り当てを制御するための方法及び装置を開示するものである。巡回シフトサブセット内で、互いに最も大きな干渉をもたらす復調基準信号リソースを識別し、この識別した復調基準信号リソースに対応する巡回シフトを、できるだけ直交する相補的多重リソースに結び付ける。復調基準信号多重化次数に対して複数の巡回シフトサブセットが決定される場合、この復調基準信号多重化次数のための少なくとも１つの巡回シフトサブセットを無視する。【選択図】図４
2013516874.tif 000002
【特許請求の範囲】
【請求項１】
ユーザ装置がサポートする復調基準信号多重リソースを制御するステップを含み、
前記リソースが、１次多重リソース及び相補的多重リソースを含み、前記１次多重リソースが巡回シフトリソースを含み、前記相補的多重リソースが、直交カバーコードリソース及びインタリーブ周波数領域多元接続リソースの少なくとも一方を含み、少なくとも１つの相補的多重リソースが、シグナリングされる１次多重リソースに結び付けられ、前記１次多重リソースが、シグナリングされる巡回シフトインデックスによって示される、
ことを特徴とする方法。
【請求項２】
前記巡回シフトと前記相補的多重リソースの間の関係が、最適な直交性を有する異なる復調基準信号リソースサブセットを、できるだけ多くの異なる復調基準信号多重化次数に対してシグナリングできるように定義される、
ことを特徴とする請求項１に記載の方法。
【請求項３】
シングルユーザ多入力多出力送信及び／又はマルチユーザ多入力多出力送信を利用するユーザ装置の復調基準信号割り当てを制御するステップを含む、
ことを特徴とする請求項１又は２に記載の方法。
【請求項４】
１次多重化方式及び相補的多重化方式、並びに１次リソースと相補的リソースの間の所定の関係を利用することにより、ユーザ装置にｎ(2)DMRS値を割り当て及び／又はシグナリングするステップを含む、
ことを特徴とする請求項１、２、又は３に記載の方法。
【請求項５】
復調基準信号多重化次数２に関し、前記巡回シフトをシングルキャリア周波数分割多元接続シンボルの１／２によって分離して、前記巡回シフトに直交カバーコードをマッピングするためのｎ(2)DMRSペアを形成することができる、
ことを特徴とする請求項１から４のいずれかに記載の方法。
【請求項６】
復調基準信号多重化次数３に関し、前記巡回シフトをシングルキャリア周波数分割多元接続シンボルの１／３によって分離して、前記巡回シフトに直交カバーコードをマッピングするためのｎ(2)DMRSトリプレットを形成することができる、
ことを特徴とする請求項１から５のいずれかに記載の方法。
【請求項７】
復調基準信号多重化次数４に関し、前記巡回シフトをシングルキャリア周波数分割多元接続シンボルの１／４によって分離して、前記巡回シフトに直交カバーコードをマッピングするためのｎ(2)DMRSクアドロプルを形成することができる、
ことを特徴とする請求項１から６のいずれかに記載の方法。
【請求項８】
復調基準信号多重化次数２に関し、前記巡回シフトをシングルキャリア周波数分割多元接続シンボルの１／４によって分離して、前記巡回シフトにインタリーブ周波数領域多元接続コームをマッピングするための巡回シフトペアを形成することができる、
ことを特徴とする請求項１から７のいずれかに記載の方法。
【請求項９】
復調基準信号多重化次数３に関し、前記巡回シフトをシングルキャリア周波数分割多元接続シンボルの１／６によって分離して、前記巡回シフトにインタリーブ周波数領域多元接続コームをマッピングするための巡回シフトトリプレットを形成することができる、
ことを特徴とする請求項１から４のいずれかに記載の方法。
【請求項１０】
復調基準信号多重化次数４に関し、前記巡回シフトをシングルキャリア周波数分割多元接続シンボルの１／２によって分離して、前記巡回シフトにインタリーブ周波数領域多元接続コームをマッピングするための巡回シフトペアを形成することができる、
ことを特徴とする請求項１、２、３、４、又は９のいずれかに記載の方法。
【請求項１１】
ユーザ装置がサポートする復調基準信号多重リソースを適用するステップを含み、
前記リソースが、１次多重リソース及び相補的多重リソースを含み、前記１次多重リソースが巡回シフトリソースを含み、前記相補的多重リソースが、直交カバーコードリソース及びインタリーブ周波数領域多元接続リソースの少なくとも一方を含み、少なくとも１つの相補的リソースが、シグナリングされる１次多重リソースに結び付けられ、前記１次多重リソースが、シグナリングされる巡回シフトインデックスによって示される、
ことを特徴とする方法。
【請求項１２】
前記巡回シフトと前記相補的多重リソースの間の関係が、最適な直交性を有する異なる復調基準信号リソースサブセットを、できるだけ多くの異なる復調基準信号多重化次数に対してシグナリングできるように定義される、
ことを特徴とする請求項１１に記載の方法。
【請求項１３】
シングルユーザ多入力多出力送信及び／又はマルチユーザ多入力多出力送信を利用するステップを含む、
ことを特徴とする請求項１１又は１２に記載の方法。
【請求項１４】
前記ユーザ装置にシグナリングされた及び／又は割り当てられたｎ(2)DMRS値に従って、前記１次復調基準信号リソースと２次復調基準信号リソースの間の所定のマッピングを適用するステップを含む、
ことを特徴とする請求項１１、１２、又は１３に記載の方法。
【請求項１５】
復調基準信号多重化次数２に関し、前記巡回シフトをシングルキャリア周波数分割多元接続シンボルの１／２によって分離して、前記巡回シフトに直交カバーコードをマッピングするためのｎ(2)DMRSペアを形成する、
ことを特徴とする請求項１１から１４のいずれかに記載の方法。
【請求項１６】
復調基準信号多重化次数３に関し、前記巡回シフトをシングルキャリア周波数分割多元接続シンボルの１／３によって分離して、前記巡回シフトに直交カバーコードをマッピングするためのｎ(2)DMRSトリプレットを形成する、
ことを特徴とする請求項１１から１５のいずれかに記載の方法。
【請求項１７】
復調基準信号多重化次数４に関し、前記巡回シフトをシングルキャリア周波数分割多元接続シンボルの１／４によって分離して、前記巡回シフトに直交カバーコードをマッピングするためのｎ(2)DMRSクアドロプルを形成する、
ことを特徴とする請求項１１から１６のいずれかに記載の方法。
【請求項１８】
前記巡回シフトに前記直交カバーコードをマッピングするために、方程式：
2013516874.tif 000011
に従って、前記ユーザ装置の巡回シフトインデックスｎCSを生成し、
式中、ｎsは、無線フレーム内のスロット番号であり、
ｎ(1)DMRSは、前記復調基準信号の前記巡回シフトのセル固有の成分であり、
ｎ(2)DMRSは、前記復調基準信号の前記巡回シフトのユーザ装置固有の成分であり、
ｎPRSは、前記復調基準信号の前記巡回シフトの疑似乱数成分である、
ことを特徴とする請求項１１から１７のいずれかに記載の方法。
【請求項１９】
復調基準信号多重化次数２に関し、前記巡回シフトをシングルキャリア周波数分割多元接続シンボルの１／４によって分離して、前記巡回シフトにインタリーブ周波数領域多元接続コームをマッピングするための巡回シフトペアを形成する、
ことを特徴とする請求項１１から１４のいずれかに記載の方法。
【請求項２０】
復調基準信号多重化次数３に関し、前記巡回シフトをシングルキャリア周波数分割多元接続シンボルの１／６によって分離して、前記巡回シフトにインタリーブ周波数領域多元接続コームをマッピングするための巡回シフトトリプレットを形成する、
ことを特徴とする請求項１１、１２、１３、１４、又は１９のいずれかに記載の方法。
【請求項２１】
復調基準信号多重化次数４に関し、前記巡回シフトをシングルキャリア周波数分割多元接続シンボルの１／２によって分離して、前記巡回シフトにインタリーブ周波数領域多元接続コームをマッピングするための巡回シフトペアを形成する、
ことを特徴とする請求項１１、１２、１３、１４、１９、又は２０のいずれかに記載の方法。
【請求項２２】
前記巡回シフトに前記インタリーブ周波数領域多元接続コームをマッピングするために、方程式：
2013516874.tif 000012
に従って、前記ユーザ装置の巡回シフトインデックスｎCSを生成し、
式中、ｎsは、無線フレーム内のスロット番号であり、
ｎ(1)DMRSは、前記復調基準信号の前記巡回シフトのセル固有の成分であり、
ｎ(2)DMRSは、前記復調基準信号の前記巡回シフトのユーザ装置固有の成分であり、
ＲＰＦは繰り返し因数であり、
ｎPRSは、前記復調基準信号の前記巡回シフトの疑似乱数成分であり、
Ｎは最小系列長であり、
前記系列長が、繰り返し因数２の場合は６の倍数であり、繰り返し因数３の場合は４の倍数である、
ことを特徴とする請求項１１、１２、１３、１４、１９、２０、又は２１のいずれかに記載の方法。
【請求項２３】
ユーザ装置がサポートする復調基準信号多重リソースを決定するステップを含み、
前記リソースが、１次多重リソース及び相補的多重リソースを含み、前記１次多重リソースが巡回シフトリソースを含み、前記相補的多重リソースが、直交カバーコードリソース及びインタリーブ周波数領域多元接続リソースの少なくとも一方を含み、少なくとも１つの相補的リソースが、シグナリングされる１次多重リソースに結び付けられ、前記１次多重リソースが、シグナリングされる巡回シフトインデックスによって示される、
ことを特徴とする方法。
【請求項２４】
最適な直交性を有する異なる復調基準信号リソースサブセットを、できるだけ多くの異なる復調基準信号多重化次数に対してシグナリングできるように、前記巡回シフトと前記相補的多重リソースの間の関係を定義するステップを含む、
ことを特徴とする請求項２３に記載の方法。
【請求項２５】
ユーザ装置がサポートする復調基準信号多重リソースを制御するように構成されたプロセッサを備えた装置であって、
前記リソースが、１次多重リソース及び相補的多重リソースを含み、前記１次多重リソースが巡回シフトリソースを含み、前記相補的多重リソースが、直交カバーコードリソース及びインタリーブ周波数領域多元接続リソースの少なくとも一方を含み、少なくとも１つの相補的リソースが、シグナリングされる１次多重リソースに結び付けられ、前記１次多重リソースが、シグナリングされる巡回シフトインデックスによって示される、
ことを特徴とする装置。
【請求項２６】
前記プロセッサが、最適な直交性を有する異なる復調基準信号リソースサブセットを、できるだけ多くの異なる復調基準信号多重化次数に対してシグナリングできるように、前記巡回シフトと前記相補的多重リソースの間の関係を定義するようにさらに構成される、
ことを特徴とする請求項２５に記載の装置。
【請求項２７】
前記プロセッサが、シングルユーザ多入力多出力送信及び／又はマルチユーザ多入力多出力送信を利用するユーザ装置の復調基準信号割り当てを制御するようにさらに構成される、
ことを特徴とする請求項２５又は２６に記載の装置。
【請求項２８】
前記プロセッサが、１次多重化方式及び相補的多重化方式、並びに１次リソースと相補的リソースの間の所定の関係を利用することにより、ユーザ装置にｎ(2)DMRS値を割り当て及び／又はシグナリングするようにさらに構成される、
ことを特徴とする請求項２５、２６、又は２７に記載の装置。
【請求項２９】
前記プロセッサが、復調基準信号多重化次数２に関し、前記巡回シフトをシングルキャリア周波数分割多元接続シンボルの１／２によって分離して、前記巡回シフトに直交カバーコードをマッピングするためのｎ(2)DMRSペアを形成するようにさらに構成される、
ことを特徴とする請求項２５から２８のいずれかに記載の装置。
【請求項３０】
前記プロセッサが、復調基準信号多重化次数３に関し、前記巡回シフトをシングルキャリア周波数分割多元接続シンボルの１／３によって分離して、前記巡回シフトに直交カバーコードをマッピングするためのｎ(2)DMRSトリプレットを形成するようにさらに構成される、
ことを特徴とする請求項２５から２９のいずれかに記載の装置。
【請求項３１】
前記プロセッサが、復調基準信号多重化次数４に関し、前記巡回シフトをシングルキャリア周波数分割多元接続シンボルの１／４によって分離して、前記巡回シフトに直交カバーコードをマッピングするためのｎ(2)DMRSクアドロプルを形成するようにさらに構成される、
ことを特徴とする請求項２５から３０のいずれかに記載の装置。
【請求項３２】
前記プロセッサが、復調基準信号多重化次数２に関し、前記巡回シフトをシングルキャリア周波数分割多元接続シンボルの１／４によって分離して、前記巡回シフトにインタリーブ周波数領域多元接続コームをマッピングするための巡回シフトペアを形成するようにさらに構成される、
ことを特徴とする請求項２５から２８のいずれかに記載の装置。
【請求項３３】
前記プロセッサが、復調基準信号多重化次数３に関し、前記巡回シフトをシングルキャリア周波数分割多元接続シンボルの１／６によって分離して、前記巡回シフトにインタリーブ周波数領域多元接続コームをマッピングするための巡回シフトトリプレットを形成するようにさらに構成される、
ことを特徴とする請求項２５、２６、２７、２８、又は３２のいずれかに記載の装置。
【請求項３４】
前記プロセッサが、復調基準信号多重化次数４に関し、前記巡回シフトをシングルキャリア周波数分割多元接続シンボルの１／２によって分離して、前記巡回シフトにインタリーブ周波数領域多元接続コームをマッピングするための巡回シフトペアを形成するようにさらに構成される、
ことを特徴とする請求項２５、２６、２７、２８、３２、又は３３のいずれかに記載の方法。
【請求項３５】
ユーザ装置がサポートする復調基準信号多重リソースを適用するように構成されたプロセッサを備えた装置であって、
前記リソースが、１次多重リソース及び相補的多重リソースを含み、前記１次多重リソースが巡回シフトリソースを含み、前記相補的多重リソースが、直交カバーコードリソース及びインタリーブ周波数領域多元接続リソースの少なくとも一方を含み、少なくとも１つの相補的リソースが、シグナリングされる１次多重リソースに結び付けられ、前記１次多重リソースが、シグナリングされる巡回シフトインデックスによって示される、
ことを特徴とする装置。
【請求項３６】
前記プロセッサが、最適な直交性を有する異なる復調基準信号リソースサブセットを、できるだけ多くの異なる復調基準信号多重化次数に対してシグナリングできるように、前記巡回シフトと前記相補的多重リソースの間の関係を定義するようにさらに構成される、
ことを特徴とする請求項３５に記載の装置。
【請求項３７】
前記プロセッサが、シングルユーザ多入力多出力送信及び／又はマルチユーザ多入力多出力送信を利用するようにさらに構成される、
ことを特徴とする請求項３５又は３６に記載の装置。
【請求項３８】
前記プロセッサが、前記ユーザ装置にシグナリングされた及び／又は割り当てられたｎ(2)DMRS値に従って、前記１次復調基準信号リソースと２次復調基準信号リソースの間の所定のマッピングを適用するようにさらに構成される、
ことを特徴とする請求項３５、３６、又は３７に記載の装置。
【請求項３９】
前記プロセッサが、復調基準信号多重化次数２に関し、前記巡回シフトをシングルキャリア周波数分割多元接続シンボルの１／２によって分離して、前記巡回シフトに直交カバーコードをマッピングするためのｎ(2)DMRSペアを形成するようにさらに構成される、
ことを特徴とする請求項３５から３８のいずれかに記載の装置。
【請求項４０】
前記プロセッサが、復調基準信号多重化次数３に関し、前記巡回シフトをシングルキャリア周波数分割多元接続シンボルの１／３によって分離して、前記巡回シフトに直交カバーコードをマッピングするためのｎ(2)DMRSトリプレットを形成するようにさらに構成される、
ことを特徴とする請求項３５から３９のいずれかに記載の装置。
【請求項４１】
前記プロセッサが、復調基準信号多重化次数４に関し、前記巡回シフトをシングルキャリア周波数分割多元接続シンボルの１／４によって分離して、前記巡回シフトに直交カバーコードをマッピングするためのｎ(2)DMRSクアドロプルを形成するようにさらに構成される、
ことを特徴とする請求項３５から４０のいずれかに記載の装置。
【請求項４２】
前記プロセッサが、前記巡回シフトに前記直交カバーコードをマッピングするために、方程式：
2013516874.tif 000013
に従って、前記ユーザ装置の巡回シフトインデックスｎCSを生成するようにさらに構成され、
式中、ｎsは、無線フレーム内のスロット番号であり、
ｎ(1)DMRSは、前記復調基準信号の前記巡回シフトのセル固有の成分であり、
ｎ(2)DMRSは、前記復調基準信号の前記巡回シフトのユーザ装置固有の成分であり、
ｎPRSは、前記復調基準信号の前記巡回シフトの疑似乱数成分である、
ことを特徴とする請求項３５から４１のいずれかに記載の装置。
【請求項４３】
前記プロセッサが、復調基準信号多重化次数２に関し、前記巡回シフトをシングルキャリア周波数分割多元接続シンボルの１／４によって分離して、前記巡回シフトにインタリーブ周波数領域多元接続コームをマッピングするための巡回シフトペアを形成するようにさらに構成される、
ことを特徴とする請求項３５から３８のいずれかに記載の装置。
【請求項４４】
前記プロセッサが、復調基準信号多重化次数３に関し、前記巡回シフトをシングルキャリア周波数分割多元接続シンボルの１／６によって分離して、前記巡回シフトにインタリーブ周波数領域多元接続コームをマッピングするための巡回シフトトリプレットを形成するようにさらに構成される、
ことを特徴とする請求項３５、３６、３７、３８、又は４３のいずれかに記載の装置。
【請求項４５】
前記プロセッサが、復調基準信号多重化次数４に関し、前記巡回シフトをシングルキャリア周波数分割多元接続シンボルの１／２によって分離して、前記巡回シフトにインタリーブ周波数領域多元接続コームをマッピングするための巡回シフトペアを形成するようにさらに構成される、
ことを特徴とする請求項３５、３６、３７、３８、４３、又は４４のいずれかに記載の装置。
【請求項４６】
前記プロセッサが、前記巡回シフトに前記インタリーブ周波数領域多元接続コームをマッピングするために、方程式：
2013516874.tif 000014
に従って、前記ユーザ装置の巡回シフトインデックスｎCSを生成し、
式中、ｎsは、無線フレーム内のスロット番号であり、
ｎ(1)DMRSは、前記復調基準信号の前記巡回シフトのセル固有の成分であり、
ｎ(2)DMRSは、前記復調基準信号の前記巡回シフトのユーザ装置固有の成分であり、
ＲＰＦは繰り返し因数であり、
ｎPRSは、前記復調基準信号の前記巡回シフトの疑似乱数成分であり、
Ｎは最小系列長であり、
前記系列長が、繰り返し因数２の場合は６の倍数であり、繰り返し因数３の場合は４の倍数である、
ことを特徴とする請求項３５、３６、３７、３８、４３、４４、又は４５のいずれかに記載の装置。
【請求項４７】
ユーザ装置がサポートする復調基準信号多重リソースを決定するように構成されたプロセッサを備えた装置であって、
前記リソースが、１次多重リソース及び相補的多重リソースを含み、前記１次多重リソースが巡回シフトリソースを含み、前記相補的多重リソースが、直交カバーコードリソース及びインタリーブ周波数領域多元接続リソースの少なくとも一方を含み、少なくとも１つの相補的リソースが、シグナリングされる１次多重リソースに結び付けられ、前記１次多重リソースが、シグナリングされる巡回シフトインデックスによって示される、
ことを特徴とする装置。
【請求項４８】
前記プロセッサが、最適な直交性を有する異なる復調基準信号リソースサブセットを、できるだけ多くの異なる復調基準信号多重化次数に対してシグナリングできるように、前記巡回シフトと前記相補的多重リソースの間の関係を定義するようにさらに構成される、
ことを特徴とする請求項４７に記載の装置。
【請求項４９】
ユーザ装置がサポートする復調基準信号多重リソースを制御するための動作を実行するようにプロセッサにより実行可能な命令のプログラムを具体化するコンピュータ可読メモリであって、
前記リソースが、１次多重リソース及び相補的多重リソースを含み、前記１次多重リソースが巡回シフトリソースを含み、前記相補的多重リソースが、直交カバーコードリソース及びインタリーブ周波数領域多元接続リソースの少なくとも一方を含み、少なくとも１つの相補的リソースが、シグナリングされる１次多重リソースに結び付けられ、前記１次多重リソースが、シグナリングされる巡回シフトインデックスによって示される、
ことを特徴とするコンピュータ可読メモリ。
【請求項５０】
ユーザ装置がサポートする復調基準信号多重リソースを適用するための動作を実行するようにプロセッサにより実行可能な命令のプログラムを具体化するコンピュータ可読メモリであって、
前記リソースが、１次多重リソース及び相補的多重リソースを含み、前記１次多重リソースが巡回シフトリソースを含み、前記相補的多重リソースが、直交カバーコードリソース及びインタリーブ周波数領域多元接続リソースの少なくとも一方を含み、少なくとも１つの相補的リソースが、シグナリングされる１次多重リソースに結び付けられ、前記１次多重リソースが、シグナリングされる巡回シフトインデックスによって示される、
ことを特徴とするコンピュータ可読メモリ。
【請求項５１】
ユーザ装置がサポートする復調基準信号多重リソースを決定する動作を実行するようにプロセッサにより実行可能な命令のプログラムを具体化するコンピュータ可読メモリであって、
前記リソースが、１次多重リソース及び相補的多重リソースを含み、前記１次多重リソースが巡回シフトリソースを含み、前記相補的多重リソースが、直交カバーコードリソース及びインタリーブ周波数領域多元接続リソースの少なくとも一方を含み、少なくとも１つの相補的リソースが、シグナリングされる１次多重リソースに結び付けられ、前記１次多重リソースが、シグナリングされる巡回シフトインデックスによって示される、
ことを特徴とするコンピュータ可読メモリ。
【発明の詳細な説明】
【技術分野】
【０００１】
本発明の例示的かつ非限定的な実施形態は、一般に無線通信ネットワークに関し、より詳細には、信号の巡回シフト分離に関する。
【背景技術】
【０００２】
以下の背景技術についての記述は、本発明に先行する関連技術には知られておらず本発明により提供される開示とともに、見識、発見、理解又は開示、或いは関連性を含むことができる。以下、本発明のいくつかのこのような寄与を具体的に指摘することができるが、これらの文脈から本発明のその他のこのような寄与が明らかになるであろう。
【０００３】
ＬＴＥ−ａｄｖａｎｃｅｄでは、復調基準信号（ＤＭＲＳ）の１次多重化方式として巡回シフト（ＣＳ）分離が使用されるようになっている。ＯＣＣ（直交カバーコード）は、ＣＳ分離のための相補的多重化方式として使用される１つの選択肢である。別の選択肢は、ＣＳ分離のための相補的多重化方式としてＩＦＤＭＡ（インタリーブ周波数領域多元接続）を使用することである。
【発明の概要】
【課題を解決するための手段】
【０００４】
以下、本発明のいくつかの態様の基本的な理解をもたらすために、本発明の簡略化した要約を示す。この要約は、本発明の広範な概要ではない。本発明の主要／重要な要素を特定すること、又は本発明の範囲を示すことを目的とするものでもない。後述する詳細な説明の前置きとして本発明のいくつかの概念を簡略化した形で示すことのみを目的とする。
【０００５】
本発明の態様によれば、ユーザ装置がサポートする復調基準信号多重リソースを制御する方法が提供され、リソースは、１次多重リソース及び相補的多重リソースを含み、１次多重リソースは巡回シフトリソースを含み、相補的多重リソースは、直交カバーコードリソース及びインタリーブ周波数領域多元接続リソースの少なくとも一方を含み、少なくとも１つの相補的多重リソースが、シグナリングされる１次多重リソースに結び付けられ、１次多重リソースは、シグナリングされる巡回シフトインデックスによって示される。
【０００６】
本発明の別の態様によれば、ユーザ装置がサポートする復調基準信号多重リソースを適用する方法が提供され、リソースは、１次多重リソース及び相補的多重リソースを含み、１次多重リソースは巡回シフトリソースを含み、相補的多重リソースは、直交カバーコードリソース及びインタリーブ周波数領域多元接続リソースの少なくとも一方を含み、少なくとも１つの相補的多重リソースが、シグナリングされる１次多重リソースに結び付けられ、１次多重リソースは、シグナリングされる巡回シフトインデックスによって示される。
【０００７】
本発明のさらに別の態様によれば、ユーザ装置がサポートする復調基準信号多重リソースを決定する方法が提供され、リソースは、１次多重リソース及び相補的多重リソースを含み、１次多重リソースは巡回シフトリソースを含み、相補的多重リソースは、直交カバーコードリソース及びインタリーブ周波数領域多元接続リソースの少なくとも一方を含み、少なくとも１つの相補的多重リソースが、シグナリングされる１次多重リソースに結び付けられ、１次多重リソースは、シグナリングされる巡回シフトインデックスによって示される。
【０００８】
本発明のさらに別の態様によれば、ユーザ装置がサポートする復調基準信号多重リソースを制御するように構成されたプロセッサを備えた装置が提供され、リソースは、１次多重リソース及び相補的多重リソースを含み、１次多重リソースは巡回シフトリソースを含み、相補的多重リソースは、直交カバーコードリソース及びインタリーブ周波数領域多元接続リソースの少なくとも一方を含み、少なくとも１つの相補的多重リソースが、シグナリングされる１次多重リソースに結び付けられ、１次多重リソースは、シグナリングされる巡回シフトインデックスによって示される。
【０００９】
本発明のさらに別の態様によれば、ユーザ装置がサポートする復調基準信号多重リソースを適用するように構成されたプロセッサを備えた装置が提供され、リソースは、１次多重リソース及び相補的多重リソースを含み、１次多重リソースは巡回シフトリソースを含み、相補的多重リソースは、直交カバーコードリソース及びインタリーブ周波数領域多元接続リソースの少なくとも一方を含み、少なくとも１つの相補的多重リソースが、シグナリングされる１次多重リソースに結び付けられ、１次多重リソースは、シグナリングされる巡回シフトインデックスによって示される。
【００１０】
本発明のさらに別の態様によれば、ユーザ装置がサポートする復調基準信号多重リソースを決定するように構成されたプロセッサを備えた装置が提供され、リソースは、１次多重リソース及び相補的多重リソースを含み、１次多重リソースは巡回シフトリソースを含み、相補的多重リソースは、直交カバーコードリソース及びインタリーブ周波数領域多元接続リソースの少なくとも一方を含み、少なくとも１つの相補的多重リソースが、シグナリングされる１次多重リソースに結び付けられ、１次多重リソースは、シグナリングされる巡回シフトインデックスによって示される。
【００１１】
本発明のさらに別の態様によれば、ユーザ装置がサポートする復調基準信号多重リソースを制御するための動作を実行するようにプロセッサにより実行可能な命令のプログラムを具体化するコンピュータ可読メモリが提供され、リソースは、１次多重リソース及び相補的多重リソースを含み、１次多重リソースは巡回シフトリソースを含み、相補的多重リソースは、直交カバーコードリソース及びインタリーブ周波数領域多元接続リソースの少なくとも一方を含み、少なくとも１つの相補的多重リソースが、シグナリングされる１次多重リソースに結び付けられ、１次多重リソースは、シグナリングされる巡回シフトインデックスによって示される。
【００１２】
本発明のさらに別の態様によれば、ユーザ装置がサポートする復調基準信号多重リソースを適用するための動作を実行するようにプロセッサにより実行可能な命令のプログラムを具体化するコンピュータ可読メモリが提供され、リソースは、１次多重リソース及び相補的多重リソースを含み、１次多重リソースは巡回シフトリソースを含み、相補的多重リソースは、直交カバーコードリソース及びインタリーブ周波数領域多元接続リソースの少なくとも一方を含み、少なくとも１つの相補的多重リソースが、シグナリングされる１次多重リソースに結び付けられ、１次多重リソースは、シグナリングされる巡回シフトインデックスによって示される。
【００１３】
本発明のさらに別の態様によれば、ユーザ装置がサポートする復調基準信号多重リソースを決定する動作を実行するようにプロセッサにより実行可能な命令のプログラムを具体化するコンピュータ可読メモリが提供され、リソースは、１次多重リソース及び相補的多重リソースを含み、１次多重リソースは巡回シフトリソースを含み、相補的多重リソースは、直交カバーコードリソース及びインタリーブ周波数領域多元接続リソースの少なくとも一方を含み、少なくとも１つの相補的多重リソースが、シグナリングされる１次多重リソースに結び付けられ、１次多重リソースは、シグナリングされる巡回シフトインデックスによって示される。
【００１４】
以下、添付図面を参照しながら、好ましい実施形態を用いて本発明をより詳細に説明する。
【図面の簡単な説明】
【００１５】
【図１】例示的なシステムアーキテクチャを示す簡略ブロック図である。
【図２】アップリンクＬＴＥ−ａｄｖａｎｃｅｄ送信のフレーム構造の例を示す図である。
【図３】１２シンボルの長さを有するＺＣ系列に利用可能な巡回シフトの例を示す図である。
【図４】本発明の実施形態による装置を示す図である。
【図５Ａ】本発明の実施形態を示すシグナリング図である。
【図５Ｂ】本発明の実施形態を示すシグナリング図である。
【図６Ａ】本発明の実施形態を示すフロー図である。
【図６Ｂ】本発明の実施形態を示すフロー図である。
【発明を実施するための形態】
【００１６】
以下、本解決法の全てではなくいくつかの実施形態を示す添付図面を参照しながら本解決法の例示的な実施形態についてより完全に説明する。実際には、本解決法は多くの異なる形で具現化することができ、本明細書に示す実施形態に限定されると解釈すべきではなく、むしろこれらの実施形態は、本開示が、適用可能な法的要件を満たすように提供するものである。本明細書では、いくつかの箇所で「ある（ａｎ）」、「１つの（ｏｎｅ）」、又は「いくつかの（ｓｏｍｅ）」実施形態について言及するが、これは必ずしも、個々のこのような言及が同じ実施形態に対するものであること、或いはその特徴が単一の実施形態にのみ適用されることを意味するものではない。異なる実施形態の単一の特徴を組み合わせて他の実施形態を実現することもできる。
【００１７】
本解決法の実施形態は、あらゆるユーザ端末、サーバ、対応する構成要素、及び／又はあらゆる通信システム、或いは基準信号及び基準信号の巡回シフトを利用する異なる通信システムのあらゆる組み合わせに適用可能である。通信システムは無線通信システムであってもよく、又は固定ネットワークと無線ネットワークの両方を利用する通信システムであってもよい。特に無線通信では、使用するプロトコル、並びに通信システム、サーバ及びユーザ端末の仕様が急速に発展を遂げている。このような発展により、実施形態へのさらなる変更が必要となり得る。従って、全ての単語及び表現は広く解釈すべきであり、実施形態を限定することではなく例示することを意図している。
【００１８】
以下では、様々な実施形態について、これらの実施形態を適用できるシステムアーキテクチャの例として、第３世代無線通信システムＵＭＴＳ（ユニバーサル移動体通信システム）に基づくアーキテクチャを用いて説明するが、これは、実施形態をこのようなアーキテクチャに限定するものではない。
【００１９】
通信システムの一般的アーキテクチャを図１に示す。図１は、いくつかの要素及び機能エンティティのみを示す簡略化したシステムアーキテクチャであるが、これらは全て論理ユニットであり、その実施構成は図示のものとは異なる場合がある。図１に示す接続は論理接続であり、実際の物理接続は異なる場合がある。当業者には、システムが他の機能及び構造を含むこともできることが明らかである。なお、グループ通信において又はグループ通信のために使用される機能、構造、要素及びプロトコルは、実際の発明とは無関係である。従って、ここでこれらについてより詳細に説明する必要はない。
【００２０】
図１には、２つの基地局、すなわちＮｏｄｅ  Ｂ１００及び１０２を示している。基地局１００及び１０２は、ネットワークの共通サーバ１０４に接続される。共通サーバ１０４は、動作及びメンテナンス（Ｏ＆Ｍ）サーバ１２０、及びモビリティ管理サーバ１２２を含むことができる。通常、Ｏ＆Ｍサーバの機能には、例えば、初期セルレベル無線リソース割り当て、性能モニタリングが含まれる。モビリティ管理サーバの機能は、ユーザ装置の接続のルーティングを担うことができる。ｎｏｄｅ  Ｂとサーバの間の接続は、インターネットプロトコル（ＩＰ）接続を使用することによって行うことができる。通信ネットワークは、共通サーバ１０４に接続されたコアネットワーク１０６をさらに含むことができる。
【００２１】
図１には、ｎｏｄｅ  Ｂ１００と通信（１１２）するユーザ装置１１０、並びにｎｏｄｅ  Ｂ１００及び１０２と通信（１１６、１１８）するユーザ装置１１４を示している。ユーザ装置とは、ポータブルコンピュータ装置のことである。このようなコンピュータ装置は、加入者識別モジュール（ＳＩＭ）の有無に関わらず動作する無線移動体通信装置を含み、以下に限定されるわけではないが、携帯電話機、スマートフォン、携帯情報端末（ＰＤＡ）、ハンドセット、ラップトップコンピュータといった種類の装置を含む。
【００２２】
図１は、簡略化した例を示すものにすぎない。実際には、ネットワークは、より多くの基地局及び無線ネットワークコントローラを含むことができ、これらの基地局によってより多くのセルを形成することができる。２又はそれ以上の通信事業者のネットワークが重複することもあり、セルのサイズ及び形状が、図１に示すものと異なる場合などもある。
【００２３】
なお、基地局、すなわちｎｏｄｅ  Ｂを、コアネットワーク要素に直接接続することもできると理解されたい（図示せず）。システム次第で、コアネットワーク側の相手を、移動体サービススイッチングセンター（ＭＳＣ）、メディアゲートウェイ（ＭＧＷ）、又はサービングＧＰＲＳ（汎用パケット無線サービス）サポートノード（ＳＧＳＮ）、ホームｎｏｄｅ  Ｂゲートウェイ（ＨＮＢ−ＧＷ）、モビリティ管理エンティティ及びエンハンストパケットコアゲートウェイ（ＭＭＥ／ＥＰＣ−ＧＷ）などとすることもできる。リレーノードの概念を実現することにより、異なるｎｏｄｅ  Ｂ間の無線インターフェイスを介した直接通信も可能であり、この場合、リレーノードとは、無線バックホールを有する、或いは別のｎｏｄｅ  Ｂにより無線インターフェイスを介してリレーされるＸ２及びＳ１インターフェイスなどを有する特別なｎｏｄｅ  Ｂとみなすことができる。通信システムは、公衆交換電話網などの他のネットワークと通信することもできる。
【００２４】
しかしながら、これらの実施形態は、一例としての上述のネットワークに限定されるものではなく、当業者であれば、必要な特性を有する他の通信ネットワークにこの解決法を適用することができる。例えば、異なるネットワーク要素間の接続をインターネットプロトコル（ＩＰ）接続で実現することができる。
【００２５】
ある実施形態では、ユーザ装置１１０が、シングルユーザ多入力多出力（ＳＵ−ＭＩＭＯ）を用いて基地局と通信する。ＳＵ−ＭＩＭＯでは、ユーザ装置が、基地局との通信において複数のアンテナを利用する。通常、アンテナの数は２〜４とすることができる。しかしながら、アンテナの数は、いずれの特定の数にも限定されない。ＳＵ−ＭＩＭＯは、現在開発中のＬＴＥシステムの進化型であるＬＴＥ−ａｄｖａｎｃｅｄ通信システム（ロングターム・エボリューション−アドバンスト）で応用されるように提案されてきた。ＬＴＥ−ａｄｖａｎｃｅｄは、国際コンソーシアムの３ＧＰＰ（第３世代パートナーシッププロジェクト）によって研究されている。
【００２６】
ある実施形態では、システム内でマルチユーザ多入力多出力（ＭＵ−ＭＩＭＯ）を利用する。ＭＵ−ＭＩＭＯでは、１つのセル内の複数のユーザが同じ送信リソースを利用している。
【００２７】
ＬＴＥ−ａｄｖａｎｃｅｄシステムで使用される計画がある別の技術に、多地点協調（ＣｏＭＰ）がある。アップリンク送信方向でＣｏＭＰを適用するということは、ユーザ装置の送信を複数の地理的に離れた地点で受信することを意味する。
【００２８】
ＳＵ−ＭＩＭＯ、ＭＵ−ＭＩＭＯ、及びＣｏＭＰを設計する上で重要な１つの側面は、受信機におけるコヒーレント受信を促進するために送信で使用される基準信号の実現である。
【００２９】
ＬＴＥ及びＬＴＥ−ａｄｖａｎｃｅｄシステムでは、基準信号又はパイロット信号として、Ｚａｄｏｆｆ−Ｃｈｕ（ＺＣ）ＣＡＺＡＣ系列及び修正ＺＣ系列を使用することができる。修正ＺＣ系列は、短縮、拡張ＺＣ系列、及びコンピュータ検索されたゼロ自己相関（ＺＡＣ）系列を含む。
【００３０】
現在のＬＴＥ−ａｄｖａｎｃｅｄシステムは、シングルユーザ多入力多出力（ＳＵ−ＭＩＭＯ）及びマルチユーザＭＩＭＯ（ＭＵ−ＭＩＭＯ）の場合、復調基準信号（ＤＭＲＳ）の割り当てに重点を置いている。ＬＴＥ−ａｄｖａｎｃｅｄは、ＩＭＴ−ａｄｖａｎｃｅｄのＩＴＵ−Ｒ要件を満たすＬＴＥ  Ｒｅｌ−８システムの進化型である。３ＧＰＰは、ＲＡＮ＃３９において、ＬＴＥ−ａｄｖａｎｃｅｄに関する新たな研究項目を、またＲＡＮ＃４６において、Ｒｅｌ−１０のためのＬＴＥ−ａｄｖａｎｃｅｄアップリンクＭＩＭＯに取り組む新たな作業項目を承認した。
【００３１】
図２に、アップリンクＬＴＥ−ａｄｖａｎｃｅｄ送信のフレーム構造の例を示す。このフレームは、０〜１９の番号を付けた２０個のタイムスロットを含む。２つの連続するタイムスロットとしてサブフレームが定義され、サブフレームｉは、タイムスロット２ｉ及び２ｉ＋１を含む。各タイムスロットにおいて、１〜３個の基準信号ブロックが送信される。
【００３２】
ＬＴＥ−ａｄｖａｎｃｅｄでは、ＤＲＭＳの１次多重化方式として巡回シフト（ＣＳ）分離が使用されるようになっている。ＣＳ分離は、ＭＵ−ＭＩＭＯの場合に異なるＵＥのＤＭＲＳを多重化するために既にＲｅｌ−８で使用されている。巡回シフトは、スケジューリンググラント内の３ビットで動的に構成することができる。ＯＣＣ（直交カバーコード）は、ＣＳ分離のための相補的（２次）多重化方式として使用される１つの選択肢である。従って、直交ＲＳリソースの数を増やし、ＵＥとＭＵ−ＭＩＭＯの異なるペアリングのための異なるＴｘ帯域幅をサポートする能力、並びに多重ＤＭＲＳ間の改善された直交性を得ることができる。別の選択肢は、ＣＳ分離のための相補的多重化方式としてＩＦＤＭＡ（インタリーブ周波数領域多元接続）を使用することである。
【００３３】
相補的多重化方式（ＯＣＣ又はＩＦＤＭＡ）が認められた場合、対応する多重リソース（ＯＣＣ又はＩＦＤＭＡコーム）をＵＥに対して構成すべきである。セル内で（及びセル間ではなく、例えば、ＵＬ  ＣｏＭＰのためのＤＭＲＳ配列の一部として）ＤＭＲＳの多重化が行われる限り、相補的多重リソースを１次多重リソースとして動的にシグナリングすることも望ましい。多重リソースは、明示的に又は非明示的にシグナリングすることができる。明示的シグナリングは容易であり、構成に高い柔軟性を与える。しかしながら、追加のシグナリングに起因してスケジューリンググラントのサイズが増大することは望ましくない場合があり、明示的シグナリングでは、非明示的シグナリングを上回る明らかな性能上の利点が得られるべきである。非明示的シグナリングでは、相補的多重リソースが、スケジューリンググラントに基づいて決定できる他の何らかのパラメータに結び付けられる。本解決法は、ＯＣＣ／ＩＦＤＭＡコームの非明示的シグナリングに適したパラメータを選択し、ＯＣＣ／ＩＦＤＭＡコームのための正確なマッピングテーブルを生成できるようにする。マッピングテーブルの生成では、ＳＵ−ＭＩＭＯの異なる送信ランクにとって、並びにＭＵ−ＭＩＭＯではペアになる異なる数のＵＥにとって最適なＤＭＲＳも考慮する。
【００３４】
図３に、１２シンボルの長さを有するＺＣ系列に利用可能な巡回シフトを示す。異なるシフトに０、１、２、３、．．．、１１のマークを付けた時計のような巡回シフトを示すことができる。ＺＣ系列の自己相関特性により、巡回シフト領域の差分が最も大きな巡回シフト間で最良の直交性が得られる。従って、時計の対向する変位（例えば、ＣＳ０とＣＳ６、又はＣＳ３とＣＳ９）において最良の直交性が得られる。隣接する巡回シフト間（例えば、ＣＳ１とＣＳ０又はＣＳ２）の直交性が最悪となる。
【００３５】
図４に、本発明の実施形態による装置の例を示す。図４には、通信チャネル１１２上で基地局１００と接続されるように構成されたユーザ装置１１０を示している。ユーザ装置１１０は、メモリ４０２及びトランシーバ４０４に動作可能に接続されたコントローラ４００を含む。コントローラ４００は、ユーザ装置の動作を制御する。メモリ４０２は、ソフトウェア及びデータを記憶するように構成される。トランシーバは、基地局１００への無線接続を確立してこれを維持するように構成される。トランシーバは、アンテナ配列４０８に接続されたアンテナポートの組４０６に動作可能に接続される。アンテナ配列は、アンテナの組を含むことができる。アンテナの数は、例えば２〜４とすることができる。アンテナの数は、いずれの特定の数にも限定されない。
【００３６】
基地局、すなわちｎｏｄｅ  Ｂ１００は、メモリ４１２及びトランシーバ４１４に動作可能に接続されたコントローラ４１０を含む。コントローラ４０８は、基地局の動作を制御する。メモリ４１２は、ソフトウェア及びデータを記憶するように構成される。トランシーバ４１４は、基地局のサービスエリア内にあるユーザ装置への無線接続を確立してこれを維持するように構成される。トランシーバ４１４は、アンテナ配列４１６に動作可能に接続される。アンテナ配列は、アンテナの組を含むことができる。アンテナの数は、例えば２〜４とすることができる。アンテナの数は、いずれの特定の数にも限定されない。
【００３７】
基地局は、通信システムの別のネットワーク要素４１８に動作可能に接続することができる。ネットワーク要素４１８は、例えば、無線ネットワークコントローラ、別の基地局、ゲートウェイ、又はサーバとすることができる。基地局は、複数のネットワーク要素に接続することができる。基地局１００は、ネットワーク要素との無線接続を確立してこれを維持するように構成されたインターフェイス４２０を含むことができる。ネットワーク要素４１８は、コントローラ４２２と、ソフトウェア及びデータを記憶するように構成されたメモリ４２４と、基地局と接続するように構成されたインターフェイス４２６とを含むことができる。ある実施形態では、このネットワーク要素が、別のネットワーク要素を介して基地局に接続される。
【００３８】
ある実施形態では、ユーザ装置が、基地局との通信チャネル１１２上でシングルユーザ多入力多出力（ＳＵ−ＭＩＭＯ）送信を利用するように構成される。ＳＵ−ＭＩＭＯでは、アンテナ配列が、複数の送信ストリームを形成するように構成されたアンテナの組又はアンテナアレイを含む。当業者には周知のように、この送信ストリームは、複数のアンテナ、アンテナビーム、又は適切にはコード化を使用して得ることができる。ある実施形態では、ユーザ装置において複数の空間レイヤが適用される。別の実施形態では、送信ストリームが送信アンテナダイバーシチに使用される。ＳＵ−ＭＩＭＯ送信を実現する方法は、本発明の実施形態とは無関係である。
【００３９】
ＯＣＣを空間レイヤに準静的に結び付けることができ、この場合、レイヤ１及び２がＯＣＣ＃１を使用し、レイヤ３及び４がＯＣＣ＃２を使用する。従って、ＯＣＣをレイヤに結び付けるこの方式では、ＯＣＣ多重が効率的に使用されない。ＯＣＣは、ＳＵ−ＭＩＭＯ送信ランク３及び４にとってのみ利点がある。しかしながら、全ての送信で同じＯＣＣを使用するので、この種の方式は、より一般的な送信ランク２、又は送信ランク１を使用するＭＵ−ＭＩＭＯにとっては利点がない。既存の解決法では、ＭＵ−ＭＩＭＯ及びＳＵ−ＭＩＭＯのいずれにおいても、ＤＭＲＳに適した巡回シフトとＯＣＣ／ＩＦＤＭＡコームの間のマッピングが開示されていない。
【００４０】
現行のＬＴＥ仕様では、ユーザ装置の基準信号のユーザ装置固有の巡回シフト成分ｎ(2)DMRSが表１（下記参照）に基づき、この場合、巡回シフトフィールドは、上位レイヤからのパラメータであり、巡回シフトスロットは、図３の時計上で選択されるシフトを示す。Ｒｅｌ−８におけるＤＭＲＳの巡回シフト構成に関して、スロットｎs内の巡回シフトαは次式のように与えられる。
(１) α＝２  ｎcs／１２、及び
2013516874.tif 000003
式中、セル固有の値ｎ(1)DMRSは、上位レイヤにより与えられるパラメータｃｙｃｌｉｃＳｈｉｆｔに基づいて以下の表２で与えられ、ｎ(2)DMRSは、対応するＰＵＳＣＨ送信に関連するトランスポートブロックの最新のＤＣＩフォーマット０［３］のＤＭＲＳフィールドの巡回シフトによって与えられ、この値を以下の表１に示す。サブフレームｎ−ｋPUSCH内にＤＣＩフォーマット０を含む対応するＰＤＣＣＨがない場合のサブフレームｎ上の準静的に構成されたＰＵＳＣＨ送信、又はランダムアクセス応答グラントに関連するＰＵＳＣＨ送信では、ｎ(2)DMRSを０にセットする。ｎPRS（ｎs）は、次式により与えられる。
2013516874.tif 000004
式中、疑似乱数列ｃ（ｉ）の適用は、セル固有である。疑似乱数列生成器は、各無線フレームの先頭において、
2013516874.tif 000005
で初期化される。
2013516874.tif 000006
2013516874.tif 000007
【００４１】
ある実施形態では、ＭＵ−ＭＩＭＯ及びＳＵ−ＭＩＭＯのいずれにおいても１次多重リソースと相補的多重リソースの最適な共同使用を達成できるように、相補的多重リソースのための非明示的シグナリングが行われる。これは、以下のように行うことができる。
【００４２】
ある実施形態では、相補的多重リソースが、動的にシグナリングされる１次多重リソースインデックスに所定の方法で結び付けられる（すなわち、ＯＣＣ又はＩＦＤＭＡコームが、動的にシグナリングされる巡回シフトインデックスに結び付けられる（すなわち、マッピングされる））。１次多重リソースと相補的多重リソースの関係は、最適な直交性を有する異なるＤＭＲＳリソースサブセットを、できるだけ多くの異なる数の多重ＤＭＲＳ（ＤＭＲＳ多重化次数）に関してシグナリングできるように定義される。この場合、ＤＭＲＳ多重化次数２、３、及び４を考慮することができる。この関係を以下により導出することができる。
１）サブセット内のＤＭＲＳリソースができるだけ直交するように、サポートされるＤＭＲＳ多重化次数の１次多重リソースサブセットを識別し、各サブセット内で、互いに最も大きな干渉をもたらすＤＭＲＳリソースを識別し、対応する１次多重リソースを、できるだけ直交する相補的多重リソースに結び付ける。
２）ステップ１）により、異なるＤＭＲＳ多重化次数間でマッピングが矛盾する可能性があるので、複数のサブセットが識別された多重化次数に関してサブセットの一部を（マッピング定義時に）無視することにより、これらの矛盾を解決する。
【００４３】
ある実施形態では、１次多重リソースと相補的多重リソースの関係が、システム標準化段階で予め定められ、多重リソース間の関係が集計される。
【００４４】
ある実施形態では、基地局ｅＮＢの動作に関し、異なる数の直交ＤＭＲＳリソースを必要とする様々なＳＵ−／ＭＵ−ＭＩＭＯ構成内の異なるＵＥにｎ(2)DMRS値を割り当て及び／又はシグナリングする際に、１次多重化方式及び相補的多重化方式、並びに１次リソースと相補的リソースの間の所定の関係をいずれも考慮するようにｅＮＢを構成する。
【００４５】
ある実施形態では、ユーザ装置ＵＥの動作に関し、シグナリングされた（（例えば、基地局ｅＮＢによって／を介して）ネットワーク装置によりＵＥにシグナリングされた）ｎ(2)DMRS値に従って、１次ＤＭＲＳリソースと２次ＤＭＲＳリソースの間の所定のマッピングに従うようにＵＥを構成する。
【００４６】
例示的な実施形態による巡回シフトとＯＣＣ／ＩＦＤＭＡコームの関係の定義については以下で開示する。
【００４７】
ある実施形態では、上述したステップを巡回シフト及びＯＣＣに適用する。上述したステップを巡回シフト及びＯＣＣに適用する際には下位互換性を考慮することができ、マッピングは上記表１に基づくことができる。巡回シフトの多重化では、マルチパス遅延拡散に起因してＤＭＲＳ間の干渉が起きる。できるだけ大きく分離した巡回シフトを使用することにより、この干渉を最小化することができる。サブフレーム内に２つのＤＭＲＳブロックが存在する場合、例えば、ＯＣＣ＃０：［１  １］、ＯＣＣ＃１：［１  −１］という２つのＯＣＣが利用可能である。Ｒｅｌ−８端末のＤＭＲＳ送信は、ＯＣＣ＃０の使用に相当する。
【００４８】
ある実施形態では、ＤＭＲＳ多重化次数２に関して、巡回シフト（ＣＳ）をＳＣ−ＦＤＭＡシンボルの１／２によって分離する。表１のこのようなｎ(2)DMRSペアは、｛０，６｝、｛２，８｝、｛３，９｝、及び｛４，１０｝である。各ペアでは、一方のＯＣＣが一方のＣＳにマッピングされ、他方のＯＣＣが他方のＣＳにマッピングされる。
【００４９】
ある実施形態では、ＤＭＲＳ多重化次数３に関して、巡回シフトをＳＣ−ＦＤＭＡシンボルの１／３によって分離する。このようなｎ(2)DMRSトリプレットは、｛０，４，８｝及び｛２，６，１０｝である。巡回シフトは互いに等しく干渉するので、一方のＯＣＣが２つのＣＳにマッピングされ、他方のＯＣＣがトリプレット内の１つのＣＳにマッピングされる。
【００５０】
ある実施形態では、ＤＭＲＳ多重化次数４に関して、巡回シフトをＳＣ−ＦＤＭＡシンボルの１／４によって分離する。このようなｎ(2)DMRSクアドロプルは、｛０，３，６，９｝である。巡回シフトペア｛０，６｝と｛３，９｝の間の干渉は、他のペアよりも顕著であり、従って一方のＯＣＣがペア｛０，６｝にマッピングされ、他方のＯＣＣがペア｛３，９｝にマッピングされる。
【００５１】
ある実施形態では、ＤＭＲＳ多重化次数２と４の間のＣＳ−ＯＣＣマッピングに存在する矛盾が、ＣＳ−ＯＣＣマッピングを定義する際にＤＭＲＳ多重化次数２のペア｛０，６｝及び｛３，９｝を無視することによって解決される。ＤＭＲＳ多重化次数４のマッピングは、例えば、２人のＳＵ−ＭＩＭＯランク＝２のユーザをともに多重化するＭＵ−ＭＩＭＯ送信、例えば、ＵＥ＃１が巡回シフト｛０，３｝を使用してＵＥ＃２が巡回シフト｛６，９｝を使用するような、或いはＵＥ＃１が巡回シフト｛０，６｝を使用してＵＥ＃２が巡回シフト｛３，９｝を使用するような送信をサポートすることができる。例示的な実施形態による、結果として生じる巡回シフトとＯＣＣの間のマッピングを以下の表３に示す。なお、表３に示すＯＣＣの割り当ては、［１  １］を｛３，８，９，１０｝に、［１  −１］を｛０，２，４，６｝にそれぞれマッピングする形で行うこともできる。また、２つのＯＣＣリソースのもとで｛０，６，８，１０｝及び｛２，３，４，９｝が手配されたときにも同様の結果が得られる。
【００５２】
表３．ＤＣＩフォーマット０の巡回シフトフィールドの、ｎ(2)DMRS値及び直交カバーコードへのマッピング。最大に直交するＣＳ／ＯＣＣの組み合わせは、２つのＤＭＲＳの場合は、ｎ(2)DMRS｛２，８｝及び｛４，１０｝であり、３つのＤＭＲＳの場合は｛０，４，８｝及び｛２，６，１０｝であり、４つのＤＭＲＳの場合は｛０，３，６，９｝である。
2013516874.tif 000008
【００５３】
ある実施形態では、上述したステップを巡回シフト及びＩＦＤＭＡに適用する。なお、ＩＦＤＭＡ成分の導入は既に下位互換性に違反しており、ＬＴＥで規定される巡回シフト値に限定する必要はない。セル内のＤＭＲＳ多重化には、繰り返し因数２で十分であると仮定することができる。この場合、ＤＭＲＳ系列は６の倍数であり、従って少なくとも６つの異なる巡回シフトを定義することができる。
【００５４】
ある実施形態では、ＤＭＲＳ多重化次数２に関して、巡回シフト（ＣＳ）をＳＣ−ＦＤＭＡシンボルの１／４によって分離すべきである。このような巡回シフトペアは、｛０，３｝、｛１，４｝、｛２，５｝である。各ペアでは、一方のＩＦＤＭＡコームが一方のＣＳにマッピングされ、他方のＩＦＤＭＡコームが他方のＣＳにマッピングされる。
【００５５】
ある実施形態では、ＤＭＲＳ多重化次数３に関して、巡回シフトをＳＣ−ＦＤＭＡシンボルの１／６によって分離すべきである。このような巡回シフトトリプレットは、｛０，２，４｝及び｛１，３，５｝である。巡回シフトは互いに等しく干渉するので、一方のＩＦＤＭＡコームが２つのＣＳにマッピングされ、他方のＩＦＤＭＡコームがトリプレット内の１つのＣＳにマッピングされる。
【００５６】
ある実施形態では、ＤＭＲＳ多重化次数４に関して、巡回シフトをＳＣ−ＦＤＭＡシンボルの１／８によって分離すべきである。しかしながら、全ての考えられる系列長に関してこのような巡回シフトは存在しない。従って、代替の解決法は、ＳＣ−ＦＤＭＡシンボルの１／２によって分離された２つの巡回シフトを使用し、両方の巡回シフトに関して両方のＩＦＤＭＡコームを割り当てることである。この巡回シフトペアは、ＤＭＲＳ多重化次数２のペアに等しい。
【００５７】
異なるＤＭＲＳ多重化次数間のＣＳ−ＩＦＤＭＡコームのマッピングに矛盾は存在しない。例示的な実施形態による、結果として生じる巡回シフトとＩＦＤＭＡの間のマッピングを以下の表４に示す。
表４．ＤＣＩフォーマット０の巡回シフトフィールドの、ｎ(2)DMRS値及びＩＦＤＭＡ送信コームへのマッピング。
2013516874.tif 000009
【００５８】
上記で開示したように、ＬＴＥ−ａｄｖａｎｃｅｄでは、単一セル内のＤＭＲＳ多重化に、繰り返し因数（ＲＰＦ）が３を超えるＩＦＤＭＡが必要となることは予想していない。しかしながら、各セルに特定のＩＦＤＭＡコームを割り当てることができるＣｏＭＰには、例えば３などの、２を超える繰り返し因数が必要となる場合がある。この場合、ｎ(1)DMRS値をシグナリングするために現在使用されているセル固有のｃｙｃｌｉｃＳｈｉｆｔパラメータを使用して、ＤＭＲＳのためにセル固有のＩＦＤＭＡコームをシグナリングすることができる。ＩＦＤＭＡと巡回シフトの組み合わせには、ＤＭＲＳのための新たな系列長を導入する必要が生じることがある。この場合、全ての系列長が必ずしも１２の倍数とは限らず、例えば、ＲＰＦ＝２の場合は６の倍数、又はＲＰＦ＝３の場合は４の倍数となる。ＵＥ固有の巡回シフトのシグナリングでは、このことを考慮すべきである。ＤＣＩフォーマット０の巡回シフトフィールドでは、依然としてＵＥ固有の巡回シフト値をシグナリングすることができるが、結果として得られるｎ(2)DMRS値をさらにＲＰＦで除算すべきである。ＵＥ固有の巡回シフトは次式によって与えられる。
2013516874.tif 000010
式中、Ｎは最小系列長である。なお、ＲＲＣにより、ＳＵ−ＭＩＭＯ端末を、１次多重リソースと相補的多重リソースの間の異なるマッピングに従い、提示されたマッピングを無効にするように構成することができる。これにより、課題の多い無線チャネル環境において、一方の多重化方式に他方よりも多く依存するための解決法が提供される。このことは、例えば、遅延拡散の長い無線チャネル内のＳＵ−ＭＩＭＯ端末に対して高い送信ランクが構成されている場合に有利となり得る。ＳＵ−ＭＩＭＯは、ランク４送信では２つの巡回シフトしか使用しない。
【００５９】
ある実施形態では、Ｒｅｌ−８の運用に加えて、僅かな追加の複雑性が含まれる。レガシーな運用に対する影響は必要でなく、レガシー端末は、ＭＵ−ＭＩＭＯのペアリングの一部とすることができる。ＭＵ−ＭＩＭＯ及びＳＵ−ＭＩＭＯの両方のための相補的多重化方式を導入することにより、ＤＭＲＳの直交性を改善することができる。ＤＭＲＳ多重化次数２、３、及び４に関して最適なＤＭＲＳ直交性を得ることができる。多重化次数６に関しても、ＤＭＲＳ直交性を改善することができる。送信ランクが２を超えるＳＵ−ＭＩＭＯ  ＵＥとのＭＵ−ＭＩＭＯのペアリングをサポートすることもできる。
【００６０】
ある実施形態では、基地局又はネットワーク要素が、ユーザ装置固有の値ｎ(2)DMRSをユーザ装置へ送信することができる。図５Ａ及び図５Ｂのシグナリング図に、必要なシグナリングを示す。図５Ａの例では、基地局１００が、ユーザ装置固有の値を決定５００し、この値をユーザ装置１１０へ送信５０２する。その後、ユーザ装置１１０及び基地局１００が、この値を適用５０４することができる。ユーザ装置固有の値を決定したネットワーク要素が基地局でない場合、この要素は、基地局を介してユーザ装置１１０へ値を送信することができる。このことを、図５Ｂの例に示す。ネットワーク要素４１８が、ユーザ装置固有の値を決定５０６し、この値を基地局１００へ送信５０８する。基地局１００は、この値をさらにユーザ装置１１０へ送信５１０する。その後、ユーザ装置１１０及び基地局１００が、この値を適用５１２することができる。
【００６１】
図６Ａは、本発明の非限定的な実施形態を示すフロー図である。ステップ６００において、ネットワーク要素が、ユーザ装置固有の値ｎ(2)DMRSを決定する。ステップ６０１において、ネットワーク要素が、この値をユーザ装置へ送信する。
【００６２】
図６Ｂは、ユーザ装置の視点から見た本発明の非限定的な実施形態を示すフロー図である。ステップ６１０において、ユーザ装置が、ユーザ装置固有の値ｎ(2)DMRSを基地局から受け取る。この値は、アップリンクスケジューリング割り当てに関連して受け取ることができる。ステップ６１１において、ユーザ装置が、受け取った値及び方程式（１）〜（５）に基づいて巡回シフトを計算する。
【００６３】
図１〜図６Ｂのステップ、シグナリングメッセージ、及び関連機能は、絶対的発生順で説明したものではなく、これらのステップのいくつかを同時に又は与えられたものとは異なる順序で実行することができる。ステップ間又はステップ内で他の機能を実行すること、及び図示のメッセージの合間に他のシグナリングメッセージを送信することもできる。ステップの一部を省略すること、又は対応するステップに置き換えることもできる。シグナリングメッセージは例示的なものにすぎず、同じ情報を送信するための複数の別個のメッセージを含むこともできる。また、メッセージは他の情報を含むこともできる。
【００６４】
上述のステップを実行できる装置を、ワーキングメモリ（ＲＡＭ）、中央処理装置（ＣＰＵ）及びシステムクロックを含むことができる電子デジタルコンピュータとして実現することができる。ＣＰＵは、一連のレジスタ、算術論理演算ユニット、及び制御ユニットを含むことができる。制御ユニットは、ＲＡＭからＣＰＵに転送される一連のプログラム命令により制御される。制御ユニットは、基本動作のための多くのマイクロ命令を含むことができる。マイクロ命令の実施構成は、ＣＰＵの設計によって異なることができる。プログラム命令はプログラミング言語によってコード化することができ、これらの言語は、Ｃ、Ｊａｖａ（登録商標）などの高水準プログラミング言語であっても、或いはマシン語又はアセンブラなどの低水準プログラミング言語であってもよい。電子デジタルコンピュータは、プログラム命令で記述されたコンピュータプログラムにシステムサービスを提供できるオペレーティングシステムを有することもできる。
【００６５】
ある実施形態は、電子装置にロードされた場合に、上述したようなシングルユーザ多入力多出力送信を利用するユーザ装置の基準信号の巡回シフトを制御するように構成されたプログラム命令を含む、配布媒体上で具体化されるコンピュータプログラムを提供する。
【００６６】
コンピュータプログラムは、ソースコード形式、オブジェクトコード形式、又は何らかの中間形式をとることができ、これを、プログラムを搬送できるいずれのエンティティ又は装置であってもよい何らかの種類のキャリアに記憶することができる。このようなキャリアとして、例えば、記録媒体、コンピュータメモリ、読み取り専用メモリ、電気搬送波信号、電気通信信号、及びソフトウェア配布パッケージが挙げられる。必要な処理能力に応じ、コンピュータプログラムを単一の電子デジタルコンピュータで実行することも、或いは多くのコンピュータ間に分散させることもできる。
【００６７】
装置を、特定用途向け集積回路ＡＳＩＣなどの１又はそれ以上の集積回路として実現することもできる。別個の論理要素で構築される回路などの他のハードウェアの実施形態も実現可能である。これらの異なる実施構成の混成も実現可能である。実施方法を選択する場合、当業者であれば、例えば、装置８００のサイズ及び消費電力、必要な処理能力、製造コスト、及び製造量に関して設定された要件を考慮するであろう。
【００６８】
当業者には、技術が進歩するにつれ、本発明の概念を様々な方法で実現できることが明らかであろう。本発明及びその実施形態は、上述の例に限定されるものではなく、特許請求の範囲内で異なることができる。
【００６９】
〔略語一覧〕
３ＧＰＰ  第３世代パートナーシッププロジェクト
ＬＴＥ  ロングターム・エボリューション
ＭＩＭＯ  多入力多出力
ＩＭＴ  国際移動体電気通信
ＤＣＩ  ダウンリンク制御情報
ＵＥ  ユーザ装置
ＳＣ−ＦＤＭＡ  シングルキャリア周波数分割多元接続
ＵＬ  アップリンク
ＣｏＭＰ  多地点協調
ＲＲＦ  繰り返し因数
ＲＲＣ  無線リソース制御
ＲＳ  基準信号
Ｔｘ  無線送信機
ＣＳ  巡回シフト
ＤＭＲＳ  復調基準信号
ＩＦＤＭＡ  インタリーブ周波数領域多元接続
ＭＵ−ＭＩＭＯ  マルチユーザ多入力多出力
ＯＣＣ  直交カバーコード
ＰＵＳＣＨ  物理アップリンク共有チャネル
ＳＵ−ＭＩＭＯ  シングルユーザ多入力多出力
ｅＮＢ  エンハンストｎｏｄｅ  Ｂ
ｎs  無線フレーム内のスロット番号
ｎcs  巡回シフトインデックス
ｎ(1)DMRS  復調基準信号の巡回シフトのセル固有の（「静的」）成分
ｎ(2)DMRS  復調基準信号の巡回シフトのユーザ装置固有の（「動的」）成分
ｎPRS  復調基準信号の巡回シフトの疑似乱数成分
【符号の説明】
【００７０】
１００  基地局（Ｎｏｄｅ  Ｂ）
１１０  ユーザ装置
１１２  通信チャネル
４００  コントローラ
４０２  メモリ
４０４  トランシーバ
４０６  アンテナポートの組
４０８  アンテナ配列
４１０  コントローラ
４１２  メモリ
４１４  トランシーバ
４１６  アンテナ配列
４１８  ネットワーク要素
４２０  インターフェイス
４２２  コントローラ
４２４  メモリ
４２６  インターフェイス
【図１】
2013516874.tif 000015
【図２】
2013516874.tif 000016
【図３】
2013516874.tif 000017
【図４】
2013516874.tif 000018
【図５Ａ】
2013516874.tif 000019
【図５Ｂ】
2013516874.tif 000020
【図６Ａ】
2013516874.tif 000021
【図６Ｂ】
2013516874.tif 000022
【国際調査報告】
2013516874.tif 000023
2013516874.tif 000024
2013516874.tif 000025